(57)【要約】【課題】液状物の泡立ちを防止しながら液状物を医療用容器へ大きな流量で注入することができ、また、シートを傷付けることがないポートを提供する。【解決手段】ポート５０は、液状物が通過する通液孔５１を備える管状部５２と、管状部の一端側の外周面上に形成された、医療用容器のシートが貼り合わされるシール部５５とを備える。管状部のシール部が設けられた側の端又はその近傍に、通液孔を二分割する架橋部６０が形成されている。管状部の中心軸に沿って見たとき、架橋部の長手方向は、シール部の長軸方向と平行である。【選択図】図２Ｅ
2009136619.tif 000002
【特許請求の範囲】
【請求項１】
可撓性を有するシートが袋状に貼り合わされてなる容器本体に取り付けられて、前記容器本体内に液状物を注入し又は前記容器本体内に収納された液状物を取り出すためのポートであって、
前記液状物が通過する通液孔を備える管状部と、
前記管状部の一端側の外周面上に形成された、前記シートが貼り合わされるシール部とを備え、
前記管状部の前記シール部が設けられた側の端又はその近傍に、前記通液孔を二分割する架橋部が形成されており、
前記管状部の中心軸に沿って見たとき、前記架橋部の長手方向は、前記シール部の長軸方向と平行であることを特徴とするポート。
【請求項２】
前記架橋部は、前記容器本体に流入する前記液状物の流れ方向の上流側に向いた衝突面を備えた板状部を有する請求項１に記載のポート。
【請求項３】
前記架橋部は、前記板状部の略中央に、前記流れ方向の上流側に向かって立設された分割部を更に有する請求項２に記載のポート。
【請求項４】
前記分割部が、前記流れ方向の上流側で細く、下流側で太い楔形状を有する請求項３に記載のポート。
【請求項５】
前記架橋部の前記長手方向と垂直な面に沿った前記架橋部の断面形状は、前記容器本体に流入する前記液状物の流れ方向の上流側で細く、下流側で太い末広がり形状を有する請求項１に記載のポート。
【請求項６】
前記管状部の前記中心軸を含み且つ前記架橋部の前記長手方向に垂直な面に沿った断面図において、前記管状部の前記中心軸に垂直な方向における前記架橋部の寸法が最大となる最大幅部は、前記容器本体に流入する前記液状物の流れ方向の前記管状部の下流側端よりも、前記流れ方向の下流側に位置している請求項１に記載のポート。
【請求項７】
前記容器本体に流入する前記液状物の流れ方向の上流側とは反対側に向いた前記架橋部の面は、滑らかな凸曲面を有する請求項１に記載のポート。
【請求項８】
可撓性を有するシートが袋状に貼り合わされてなる容器本体と、前記容器本体内に液状物を注入し又は前記容器本体内に収納された液状物を取り出すためのポートとを備えた医療用容器であって、前記ポートが請求項１〜７のいずれかに記載のポートであることを特徴とする医療用容器。
【請求項９】
前記容器本体を構成する２枚のシートが、前記シール部を、その短軸方向に挟んで貼り合わされている請求項８に記載の医療用容器。
【発明の詳細な説明】
【技術分野】
【０００１】
本発明は、容器本体に対して液状物の注入又は取り出しを行うためのポートに関する。また、本発明は、経腸栄養法や静脈栄養法などを行う際に患者に投与する液状物を収納するための医療用容器に関する。
【背景技術】
【０００２】
経口によらずに患者に栄養や薬剤を投与する方法として経腸栄養法や静脈栄養法が知られている。経腸栄養法では、患者の鼻腔から胃又は十二指腸にまで通されたチューブを介して栄養剤、流動食、又は薬剤などの液状物が投与される。また、静脈栄養法では、患者の静脈に挿入された輸液ラインを介してブドウ糖などの栄養成分や薬剤成分を含む液状物（一般に「輸液」と呼ばれる）が投与される。
【０００３】
経腸栄養法や静脈栄養法を行う場合、通常、作業室で調整した液状物を医療用容器に充填し、これを患者がいる病室に搬送して液状物を患者に投与する。
【０００４】
経腸栄養法や静脈栄養法を行う際に使用される医療用容器としては、可撓性を有する２枚のシートの周囲を、筒状のポートを挟んでヒートシールして袋状に形成した容器が知られている（例えば特許文献１参照）。液状物は、ポートを介して容器内に注入される。容器内に注入した液状物の量を測定するために、容器を構成するシートとして透明又は透光性を有する材料を用い、このシートに目盛りを付することは一般的に行われている。
【０００５】
特許文献１に開示されたような従来の容器にそのポートから液状物を注入すると、容器内で液状物が泡立つという問題がある。容器内に多数の泡が発生すると、容器に所望する量の液状物を注入しようとすると泡がポートから溢れ出る、容器内に注入した液状物の量をシートに付した目盛りを用いて正確に測定することができない、等の問題が生じる。
【０００６】
点滴筒内での液状物（輸液）の泡立ちを防止する方法が特許文献２，３に記載されている。
【０００７】
特許文献２には、図６Ａに示すような、円錐状の流液面９１２と、流液面９１２を縦に分割する複数の畝状の分離壁９１４とを備えた分流器９１０が記載されている。分流器９１０は、図６Ｂに示すように、円筒状の点滴筒９００内に配置される。点滴筒９００内において上方から滴下した液状物は、分流器９１０の頂点９１１に落下し、複数の分離壁９１４によって分離され、流液面９１２に沿って流れ、流液面９１２の下端に達した後、点滴筒９００の内壁面に沿って流れ、点滴筒９００の底部に溜まった液状物の液面（図示せず）に到達する。このように、点滴筒９００内に分流器９１０を設けることにより、滴下した液状物が点滴筒９００の底部に溜まった液状物の液面に直接落下することがないので、点滴筒９００内で液状物が泡立つのを防止できる。
【０００８】
特許文献３には、図７に示すように、上側に導入針９３４を備え、下側に点滴芯９３５を備えたキャップ９３３を、筒状の本体９３２の上端に装着した点滴筒９３０が記載されている。本体９３２内に挿入された点滴芯９３５の側壁には液状物の導入孔９３７が形成されている。液状物は、導入孔９３８より導入針９３４に流入し、点滴芯９３５の導入孔９３７より横向きに噴出し、滑らかな曲線を描いて本体９３２の内壁面に着地し、内壁面に沿って流れ、本体９３２の底部に溜まった液状物の液面に到達する。このように、本体９３２内に、側壁に導入孔９３７が形成された点滴芯９３５を設けることにより、液状物が、本体９３２の底部に溜まった液状物の液面に直接落下したり、本体９３２の内壁面に激しく衝突したりすることがないので、点滴筒９００内で液状物が泡立つのを防止できる。
【特許文献１】特開２００６−１９９３０３号公報
【特許文献２】実開昭６１−１５１７４３号公報
【特許文献３】実開平６−１１７４５号公報
【発明の開示】
【発明が解決しようとする課題】
【０００９】
しかしながら、特許文献２及び特許文献３に記載された点滴筒内の泡立ち防止方法を、特許文献１に開示されたような医療用容器に適用しようとすると以下のような問題が生じる。
【００１０】
特許文献２の分流器９１０は、頂点９１１に落下した液状物を等方的に分離して、円筒状の点滴筒９００の内壁面に導く。しかしながら、一般に、医療用容器の内壁面は円筒面ではない。従って、特許文献２の分流器９１０を医療用容器内に配置しても、分流器９１０で等方的に分離された液状物の多くは、流液面９１２の下端に達した後、容器の内壁面に沿って流れることなく、容器内に溜まった液状物の液面に直接落下してしまう。従って、泡立ちを防止することはできない。
【００１１】
また、特許文献３の点滴芯９３５を医療用容器内に設けると、例えば医療用容器を落下させた場合、点滴芯９３５の先端が容器を構成するシートを傷付けてシートが破れてしまう可能性がある。また、点滴芯９３５の側壁に形成した導入孔９３７の開口径が小さいので、液状物の大きな流量が得られず、液状物の医療用容器への注入作業に長時間を要する。
【００１２】
本発明は、上記の従来の問題を解決し、液状物を医療用容器へ注入する際に液状物の泡立ちを防止することができ、更に、大きな流量で液状物を医療用容器へ注入することができ、また、容器に落下等の衝撃が加わってもシートを傷付けることがないポート及び医療用容器を提供することを目的とする。
【課題を解決するための手段】
【００１３】
本発明のポートは、可撓性を有するシートが袋状に貼り合わされてなる容器本体に取り付けられて、前記容器本体内に液状物を注入し又は前記容器本体内に収納された液状物を取り出すためのポートであって、前記液状物が通過する通液孔を備える管状部と、前記管状部の一端側の外周面上に形成された、前記シートが貼り合わされるシール部とを備える。前記管状部の前記シール部が設けられた側の端又はその近傍に、前記通液孔を二分割する架橋部が形成されている。前記管状部の中心軸に沿って見たとき、前記架橋部の長手方向は、前記シール部の長軸方向と平行である。
【００１４】
本発明の医療用容器は、可撓性を有するシートが袋状に貼り合わされてなる容器本体と、前記容器本体内に液状物を注入し又は前記容器本体内に収納された液状物を取り出すためのポートとを備えた医療用容器であって、前記ポートが上記の本発明のポートであることを特徴とする。
【発明の効果】
【００１５】
本発明のポートの管状部のシール部が設けられた側の端又はその近傍に、通液孔を二分割する架橋部が形成されており、架橋部の長手方向がシール部の長軸方向と平行である。従って、ポートに流入した液状物は、架橋部で２つの分流に分割された後、容器本体のシートの内壁面に沿って流れる。即ち、ポートから、シートの内壁面上を流れずに、容器本体の下部に溜まった液状物の液面に直接落下する液状物はほとんどない。よって、容器本体内で液状物の泡立ちを防止することができる。
【００１６】
更に、架橋部が通液孔を塞ぐ面積は小さく、架橋部を設けても、液状物が通過するための流路を十分に確保することができる。従って、大きな流量で液状物を医療用容器へ注入することができる。
【００１７】
また、架橋部が、特許文献３の点滴芯９３５のような鋭利な先端を有している必要はないので、医療用容器を落下させる等によりシートが架橋部や架橋部の近傍のポートの部分に衝突しても、シートが傷付けられ破れてしまうなどのトラブルが発生することはほとんどない。
【発明を実施するための最良の形態】
【００１８】
上記の本発明のポートにおいて、前記架橋部は、前記容器本体に流入する前記液状物の流れ方向の上流側に向いた衝突面を備えた板状部を有することが好ましい。これにより、架橋部が液状物に対して付与する、管状部の中心軸に対して直交する方向の速度成分の大きさを大きくすることができる。従って、架橋部で２つの分流に分割された後、容器本体のシートの内壁面に沿って流れる液状物の量をより多くすることができるので、泡立ちを一層防止することができる。
【００１９】
前記架橋部は、前記板状部の略中央に、前記流れ方向の上流側に向かって立設された分割部を更に有することが好ましい。これにより、板状部の衝突面上で液状物がよどんだり、液状物が衝突面に衝突することで泡立ったりするのを防止することができる。
【００２０】
この場合、前記分割部が、前記流れ方向の上流側で細く、下流側で太い楔形状を有することが好ましい。これにより、液状物が衝突面に衝突する際の泡立ちを更に少なくすることができる。
【００２１】
前記架橋部の前記長手方向と垂直な面に沿った前記架橋部の断面形状は、前記容器本体に流入する前記液状物の流れ方向の上流側で細く、下流側で太い末広がり形状を有していても良い。この場合も、液状物が架橋部に衝突する際の泡立ちを少なくすることができる。
【００２２】
前記管状部の前記中心軸を含み且つ前記架橋部の前記長手方向に垂直な面に沿った断面図において、前記管状部の前記中心軸に垂直な方向における前記架橋部の寸法が最大となる最大幅部は、前記容器本体に流入する前記液状物の流れ方向の前記管状部の下流側端よりも、前記流れ方向の下流側に位置していることが好ましい。これにより、容器本体のシートの内壁面に沿って流れる液状物の量をより多くすることができるので、泡立ちを一層防止することができる。
【００２３】
前記容器本体に流入する前記液状物の流れ方向の上流側とは反対側に向いた前記架橋部の面（下面）は、滑らかな凸曲面を有することが好ましい。これにより、ポートを下側にして容器本体内の液状物をポートから流出させる際に、液状物が架橋部の下面上に残留するのを防止できる。また、架橋部の下面が容器本体のシートに接触しても、シートが傷付けられ破れてしまうなどのトラブルの発生を一層低減できる。
【００２４】
本発明の上記の医療用容器において、前記容器本体を構成する２枚のシートが、前記シール部を、その短軸方向に挟んで貼り合わされていることが好ましい。これにより、ポートに流入した液状物は、架橋部で２つの分流に分割された後、それぞれ２枚のシートに向かって進む。従って、多くの液状物はシートの内壁面上を流れる。よって、容器本体内で液状物の泡立ちを一層防止することができる。
【００２５】
以下、本発明を具体的な実施形態を示しながらより詳細に説明する。但し、本発明は以下に示す実施形態に限定されないことは言うまでもない。
【００２６】
図１は、本発明の一実施形態にかかる医療用容器（以下、単に「容器」という）１の概略構成を示した正面図である。本実施形態の容器１は、容器本体１０と、容器本体１０内に液状物を注入し又は容器本体１０内に収納された液状物を取り出すためのポート５０とを備えている。
【００２７】
容器本体１０は、柔軟で可撓性を有する同一寸法の２枚のシート１２ａ，１２ｂを重ね合わせて、その周縁のシール領域１１にて接合してなる袋状物（いわゆるパウチ）である。ポート５０が容器本体１０のシール領域１１に取り付けられて、容器本体１０の内外を連通させている。１３は、ポート５０に対向する辺に沿って設けられた、繰り返して開閉が可能な線状ファスナであり、線状ファスナ１３を開くと、容器本体１０の内部に通じる開口が形成される。シール領域１１内には、容器１を吊り下げるための開口（貫通孔）１６、後述する栄養セット８０を構成するチューブ８１（図４参照）を挿入してチューブ８１を保持させるための開口（貫通孔）１５ａ，１５ｂ、２本の指を挿入することで線状ファスナ１３を開口させた状態で容器１を保持するための開口（貫通孔）１７ａ，１７ｂがそれぞれ形成されている。
【００２８】
容器本体１０を構成するシート１２ａ，１２ｂの材質は特に限定されず、通常は、２層以上の複合シートが使用される。例えば、ポリエチレンテレフタレート、ナイロン、ポリプロピレン、ポリエチレンなどのプラスチック材料の中から互いに異なる材料を選択してなる内層及び外層を含む複合シートを用いることができる。この複合シートに、バリア層として酸化アルミニウムやシリカなどの薄膜を形成してもよい。容器本体１０内の液状物の量などを確認することができるように、２枚のシートのうちの少なくとも一方は透明又は半透明であることが好ましい。一般的なヒートシール法にて２枚のシートをシールする場合、各シートの相手方のシートと対向する面にはヒートシール層が設けられる。
【００２９】
図２Ａはポート５０の斜視図、図２Ｂはポート５０の側面図、図２Ｃはポート５０の下面図、図２Ｄはポート５０の下側から見た斜視図、図２Ｅは、図２Ｂの２Ｅ−２Ｅ線に沿ったポート５０の矢視断面図である。ポート５０は、液状物が通過するための通液孔５１が形成された円筒形状の管状部５２と、管状部５２の一端側の外周面上に設けられたシール部５５と、管状部５２の他端側の外周面上に形成されたキャップ装着部５６とを備えている。シール部５５とキャップ装着部５６との間の管状部５２の外周面には、把持部５８が形成されている。図示したように、管状部５２の中心軸５３（図２Ｅ参照）と平行な方向をＺ軸とし、Ｚ軸と直交し、且つ、互いに直交する二軸をＸ軸及びＹ軸とする。ポート５０を通って容器本体１０に流入する液状物の流れ方向の上流側（キャップ装着部５６側）を「上流側」又は「上側」と呼び、該流れ方向の下流側（シール部５５側）を「下流側」又は「下側」と呼ぶ。上記の図２Ｅは、管状部５２の中心軸５３を含み、Ｙ軸と平行な面に沿ったポート５０の断面図である。
【００３０】
シール部５５は底面が略菱形である四角柱形状を有している。底面の略菱形の２本の対角軸のうち、長い方の対角軸（長軸）５５Ｌ（図２Ｃ参照）はＸ軸と平行であり、短い方の対角軸（短軸）５５Ｓ（図２Ｃ参照）はＹ軸と平行である。ポート５０のシール部５５を容器本体１０を構成する２枚のシート１２ａ，１２ｂの周縁間に挟んだ状態で２枚のシート１２ａ，１２ｂの周縁をシール（例えば、ヒートシール、超音波シール）することで、シール領域１１を形成するのと同時にポート５０と容器本体１０とを接合し一体化することができる（図１参照）。このとき、２枚のシート１２ａ，１２ｂは、シール部５５をＹ軸方向に挟んで貼り合わされる。
【００３１】
キャップ装着部５６は、栄養セットの一端が接続されるキャップに形成された雌ネジと螺合する雄ネジからなる。但し、キャップ装着部５６はこれに限定されず、キャップと係合してキャップを装着することができる周知の形状で構成することができる。
【００３２】
管状部５２の下流側端又はその近傍に、通液孔５１を二等分割する架橋部６０が形成されている。図２Ｃに示すように、Ｚ軸と平行な方向に沿って見たとき、架橋部６０の長手方向は、シール部５５の底面の略菱形の長軸５５Ｌの方向（Ｘ軸方向）と平行である。
【００３３】
図２Ｅに示すように、Ｘ軸と垂直な面に沿った架橋部６０の断面形状は、上流側に向いた衝突面６２を備えた板状部６１と、板状部６１の略中央に上流側に向かってＺ軸と平行に立設されたリブ状の分割部６３とを備えた略逆Ｔ字形状を有している。分割部６３は、Ｚ軸方向において、上流側で細く（薄く）、下流側で太い（厚い）略楔形状を有している。
【００３４】
ポート５０は、例えば、ポリエチレン、ポリプロピレン、ポリ塩化ビニル、ポリエチレンテレフタレート、エチレン酢酸ビニルコポリマー、熱可塑性エラストマー、ポリアセタール等の容器本体１０に比べて相対的に硬い材料からなり、例えば射出成型にて一体的に製造することができる。
【００３５】
以上のように構成された本実施形態の容器１に液状物を注入する方法を以下に説明する。
【００３６】
例えばポート５０の把持部５８を２本の指で把持したり、または、ポート５０を略Ｕ字状の治具に挿入して保持するなどして、容器１を、ポート５０を上側にして懸吊する。そして、ポート５０の通液孔５１から経腸栄養法や静脈栄養法などで使用される液状物を注入する。注入は、漏斗を通液孔５１に挿入したり、または、液状物を貯蔵した容器に接続されたチューブを通液孔５１に挿入したりして行うと、液状物をこぼすことなく行うことができる。
【００３７】
図３は、ポート５０に流入する液状物の流れを示した断面図である。ここでは、ポート５０の通液孔５１に挿入された漏斗やチューブの図示を省略している。通液孔５１に流入した液状物７０は、管状部５２の下流側端近傍に設けられた架橋部６０の分割部６３の上流側端６５に衝突し、Ｙ軸方向に２つの分流７１ａ，７１ｂに分割される。次いで、２つの分流７１ａ，７１ｂは、板状部６１の上流側に向いた衝突面６２に衝突し、互いに遠ざかる方向にその進行方向が変えられて、板状部６１から離れた後は、放物線に沿って落下して、容器１を構成するシート１２ａ，１２ｂの内壁面に衝突し、シート１２ａ，１２ｂの内壁面上を流れて、容器本体１０の下部に溜まった液状物の液面（図示せず）に到達する。
【００３８】
容器１に所定量の液状物の注入した後、図４に示すようにポート５０の先端のキャップ装着部５６にキャップ９０を取り付ける。キャップ９０には、ポート５０のキャップ装着部５６の雄ねじと螺合する雌ねじ（図示せず）が形成されている。更に、キャップ９０に可撓性を有するチューブ８１を含む栄養セット８０を接続する。図４に示した栄養セット８０は、キャップ９０に設けられた筒状体９１に外挿されるゴムチューブ８２をチューブ８１の一端に備え、点滴筒８３及び流量を調整するためのクランプ８４をチューブ８１の途中に備え、雄コネクタ８５をチューブ８１の他端に備えている。その後、容器本体１０のシール領域１１内に形成された開口１６を利用して、ポート５０を下方に向けて容器１を吊り下げる。栄養セット８０の雄コネクタ８５を患者に接続する。クランプ８４を開くと、重力を利用して容器本体１０に充填された液状物を栄養セット８０を介して患者に投与することができる。
【００３９】
本実施形態では、ポート５０の架橋部６０の長手方向が、シール部５５を挟むシート１２ａ，１２ｂが対向する方向（Ｙ軸方向）と直交しているので、図３に示すように、架橋部６０で２分割された液状物の分流７１ａ，７１ｂはそれぞれシート１２ａ，１２ｂに向かう。従って、ポート５０から、シート１２ａ，１２ｂの内壁面上を流れずに、容器本体１０の下部に溜まった液状物の液面に直接落下する液状物はほとんどない。よって、容器本体１０内で液状物の泡立ちを防止することができる。
【００４０】
また、図２Ｃから明らかなように、架橋部６０が管状部５２の通液孔５１の下端の開口を塞ぐ面積は小さく、液状物の分流７１ａ，７１ｂが通過するための流路は十分に確保されている。従って、架橋部６０を設けたことによる液状物の流量の低下は少なく、容器１に液状物を注入する際に、液状物の実用上十分な流量を確保できる。更に、架橋部６０を含むポート５０の下側端には、図７に示した点滴芯９３５の先端のような鋭利な突起は存在しないから、容器１を落下する等してポート５０の下流側端がシート１２ａ，１２ｂの内壁面に衝突しても、シート１２ａ，１２ｂが傷付けられ破れてしまうなどのトラブルはほとんど発生しない。
【００４１】
図２Ｅに示すように、管状部５２の下流側端縁５２ａ，５２ｂは、架橋部６０を尾根（稜線）とする山状となるように、所定角度で互いに交差し且つＸ軸と平行な２つの仮想の傾斜面Ｓａ，Ｓｂに沿って形成されている。傾斜面Ｓａ，ＳｂのＹ軸に対する角度θａ，θｂは、例えばいずれも３０°に設定することができる。この結果、管状部５２の中心軸５３を含みＸ軸と垂直な面に沿った断面図（即ち、図２Ｅ）において、架橋部６０のＹ軸方向における寸法（幅）が最大となる部分（即ち、最大幅部、本実施形態では板状部６１が相当する）６６は、前記断面図における管状部５２の下流側端５２ａ0，５２ｂ0よりも、下流側に位置している。従って、図２Ｂに示すように、Ｙ軸と平行な方向に沿って見たとき、管状部５２の下流側端縁５２ａ，５２ｂ（図２Ｂでは下流側端縁５２ｂは見えない）が曲線状に切れ上がり、架橋部６０の板状部６１の一部及び分割部６３の一部を見ることができる。これにより、図３に示すように、液状物の分流７１ａ，７１ｂは、架橋部６０を離れた後、シート１２ａ，１２ｂに衝突する可能性が高くなる。本実施形態と異なり、管状部５２の中心軸５３を含みＸ軸と垂直な断面図において、架橋部６０の最大幅部６６（即ち、板状部６１）が、管状部５２の下流側端５２ａ0，５２ｂ0よりもより上流側に位置すればするほど、シート１２ａ，１２ｂに衝突する液状物の量が少なくなり、ポート５０の管状部５２の下端から容器本体１０の下部に溜まった液状物の液面に直接落下する液状物の量が多くなり、泡の発生量が増大する。
【００４２】
ポート５０に設けられる架橋部の形状は上記の実施形態に限定されず、種々に変更可能である。例えば、架橋部はＺ軸と平行に上流側に向かって立設された分割部６３（図２Ｅ参照）を有していなくても良い。即ち、図５Ａに示すように上流側に向いた平面状の衝突面６２Ａを備えた板状部６１Ａから構成された架橋部６０Ａや、図５Ｂに示すように上流側に向いた円筒面状の衝突面６２Ｂを備えた板状部６１Ｂから構成された架橋部６０Ｂであっても良い。あるいは、図５Ｃ及び図５Ｄに示すように、上流側で細く、下流側で太い末広がり形状の架橋部６０Ｃ，６０Ｄであっても良い。図５Ｃに示した架橋部６０Ｃと図５Ｄに示した架橋部６０Ｄとは、液状物を分流する一対の斜面６４ａ，６４ｂが、前者がほぼ平面であるのに対して、後者が滑らかな凹面である点で相違する。６６Ａ，６６Ｂ，６６Ｃ，６６Ｄは、架橋部６０Ａ，６０Ｂ，６０Ｃ，６０Ｄの最大幅部をそれぞれ示す。
【００４３】
ポート５０に流入する液状物７０が衝突する架橋部の表面形状は、第１に、液状物が架橋部に衝突することによって発生する気泡が少ないこと、第２に、より多くの液状物が容器１を構成するシート１２ａ，１２ｂの内壁面に衝突するように液状物の進行方向を変えることができること、等を考慮して決定されることが好ましい。液状物が架橋部に衝突することによって発生する気泡を少なくするためには、以下のような構成を採ることができる。例えば、図２Ｅの架橋部６０、図５Ｃの架橋部６０Ｃ、及び図５Ｄの架橋部６０Ｄの各上流側端６５，６５Ｃ，６５Ｄはなるべく尖鋭であることが好ましい。また、これら上流側端６５，６５Ｃ，６５Ｄから最大幅部６６，６６Ｃ，６６Ｄまでが滑らかな曲面で繋がれていることが好ましい。また、図２Ｅにおいて、分割部６３が、上流側で細く、下流側で太い略楔形状を有していたり、衝突面６２が、ＸＹ面と平行ではなく、分割部６３から離れるにしたがって下側に変位した傾斜面であったりすることは、有利であることが多い。
【００４４】
架橋部６０，６０Ａ，６０Ｂ，６０Ｃ，６０Ｄの最大幅部６６，６６Ａ，６６Ｂ，６６Ｃ，６６ＤのＹ軸方向の寸法は、通液孔５１を流れる液状物の粘度や流量（流速）等を考慮して決定することが好ましい。最大幅部の寸法が大きくなればなるほど、液状物の分流７１ａ，７１ｂが通過するための流路が狭くなるので、液状物の大きな流量が得られにくくなる。逆に、最大幅部の寸法が小さくなればなるほど、流路が広くなるので液状物の大きな流量が得られるが、シート１２ａ，１２ｂの内壁面に衝突せずにポート５０から容器本体１０の下部に溜まった液状物の液面に直接落下する液状物の量が多くなるので、泡立ち防止効果が低下する。
【００４５】
架橋部６０，６０Ａ，６０Ｂ，６０Ｃ，６０Ｄの上流側とは反対側に向いた面（下面）６８，６８Ａ，６８Ｂ，６８Ｃ，６８Ｄは、滑らかな凸曲面（例えば、略円筒面、略球面など）を有することが好ましい。これにより、液状物が充填された容器１をポート５０を下方に向けて吊り下げて、液状物を患者に投与する際に、液状物が下面６８，６８Ａ，６８Ｂ，６８Ｃ，６８Ｄ上に残留するのを防止できる。また、容器１を落下する等して下面６８，６８Ａ，６８Ｂ，６８Ｃ，６８Ｄがシート１２ａ，１２ｂの内壁面に衝突しても、シート１２ａ，１２ｂが傷付けられ破れてしまうなどのトラブルの発生を防止できる。
【００４６】
上記の実施形態は一例に過ぎず、本発明はこの実施形態に限定されず、適宜変更することができる。
【００４７】
例えば、上記の実施形態の容器本体１０では、同一形状の２枚のシートが袋状に接合されていたが、本発明はこれに限定されず、容器本体を構成するシートの数、形状、及びその組み合わせ方に限定はない。例えば、３枚以上のシートが袋状に接合されていても良く、また、容器本体の平面視形状は長方形である必要もない。更に、シール領域１１内に形成された開口の端縁形状、位置、数などは適宜変更することができる。あるいは、シール領域１１内に開口が形成されていなくても良い。また、容器本体が線状ファスナ１３を有していなくても良い。
【００４８】
容器１を吊り下げた状態において容器本体１０内の液状物の量を目視にて判別するための目盛りが容器本体１０に印刷などで設けられていても良い。この場合、本発明によれば液状物の泡立ちが少ないので、液状物の量を正確に計測することができる。
【００４９】
容器本体に対するポート５０の配置は上記の実施形態に限定されない。例えば、平面視形状が長方形である容器本体の４つのコーナーのうちの１つにポート５０を取り付けても良い。この場合、容器１を吊り下げるための開口１６は、ポート５０が取り付けられたコーナーと対角位置にあるコーナーに設けることが好ましい。これにより、ポート５０の開口を重力方向に沿って下向きにして吊り下げることができるので、容器本体１０内の液状物を重力を利用して流出させることができる。
【００５０】
また、１つの容器本体に対して２以上のポート５０を設けても良い。
【００５１】
ポート５０の形状も用途等に応じて適宜変更することができる。例えば、管状部５２に形成される通液孔５１の内面形状は、上記の実施形態のような円筒面である必要はなく、例えば多角柱面（例えば、四角柱面、六角柱面など）であっても良い。把持部５８を省略したり、ボート５０を治具に係止しやすくするために、管状部５２の外周面に適宜凸部や凹部を形成しても良い。シール部５５の形状も上記の実施形態に限定されず、例えば底面が略楕円形の柱状形状を有していても良い。
【産業上の利用可能性】
【００５２】
本発明の利用分野は特に制限はないが、経腸栄養法や静脈栄養法などを行う際に使用される医療用容器及びこれに用いられるポートとして好ましく利用することができる。
【図面の簡単な説明】
【００５３】
【図１】図１は、本発明の一実施形態にかかる医療用容器の概略構成を示した正面図である。
【図２Ａ】図２Ａは、本発明の一実施形態にかかるポートの斜視図である。
【図２Ｂ】図２Ｂは、本発明の一実施形態にかかるポートの側面図である。
【図２Ｃ】図２Ｃは、本発明の一実施形態にかかるポートの下面図である。
【図２Ｄ】図２Ｄは、本発明の一実施形態にかかるポートの下側から見た斜視図である。
【図２Ｅ】図２Ｅは、図２Ｂの２Ｅ−２Ｅ線に沿った本発明の一実施形態にかかるポートの矢視断面図である。
【図３】図３は、本発明の一実施形態にかかる医療用容器において、ポートに流入する液状物の流れを示した断面図である。
【図４】図４は、栄養セットが接続された本発明の一実施形態にかかる医療用容器の概略構成を示した正面図である。
【図５Ａ】図５Ａは、本発明にかかるポートに設けられる架橋部の別の例の、その長手方向に垂直な面に沿った断面図である。
【図５Ｂ】図５Ｂは、本発明にかかるポートに設けられる架橋部の更に別の例の、その長手方向に垂直な面に沿った断面図である。
【図５Ｃ】図５Ｃは、本発明にかかるポートに設けられる架橋部の更に別の例の、その長手方向に垂直な面に沿った断面図である。
【図５Ｄ】図５Ｄは、本発明にかかるポートに設けられる架橋部の更に別の例の、その長手方向に垂直な面に沿った断面図である。
【図６Ａ】図６Ａは、従来の点滴筒用分流器の斜視図である。
【図６Ｂ】図６Ｂは、図６Ａに示した分流器が収納された点滴筒の部分拡大断面図である。
【図７】図７は、従来の別の点滴筒を示した側面図である。
【符号の説明】
【００５４】
１  医療用容器（容器）
１０  容器本体
１１  シール領域
１２ａ，１２ｂ  シート
５０  ポート
５１  通液孔
５２  管状部
５２ａ，５２ｂ  管状部の下流側端縁
５２ａ0，５２ｂ0  管状部の下流側端
５３  管状部の中心軸
５５  シール部
５５Ｌ  シール部の長軸
５５Ｓ  シール部の短軸
５６  キャップ装着部
５８  把持部
６０，６０Ａ，６０Ｂ，６０Ｃ，６０Ｄ  架橋部
６１，６１Ａ，６１Ｂ  板状部
６２，６２Ａ，６２Ｂ  衝突面
６３  分割部
６５，６５Ｃ，６５Ｄ  上流側端
６６，６６Ａ，６６Ｂ，６６Ｃ，６６Ｄ  架橋部の最大幅部
６８，６８Ａ，６８Ｂ，６８Ｃ，６８Ｄ  架橋部の下面
７０  液状物
７１ａ，７１ｂ  液状物の分流
８０  栄養セット
【図１】
2009136619.tif 000003
【図２Ａ】
2009136619.tif 000004
【図２Ｂ】
2009136619.tif 000005
【図２Ｃ】
2009136619.tif 000006
【図２Ｄ】
2009136619.tif 000007
【図２Ｅ】
2009136619.tif 000008
【図３】
2009136619.tif 000009
【図４】
2009136619.tif 000010
【図５Ａ】
2009136619.tif 000011
【図５Ｂ】
2009136619.tif 000012
【図５Ｃ】
2009136619.tif 000013
【図５Ｄ】
2009136619.tif 000014
【図６Ａ】
2009136619.tif 000015
【図６Ｂ】
2009136619.tif 000016
【図７】
2009136619.tif 000017